(57)【要約】【課題】屑ケースの非装填時には鉛筆を差し込んでもカッターホルダーを回転駆動させない機能などを、簡素な構造をもって確実に実現する。【解決手段】ケース前部１への移動によりマイクロスイッチ１１の押しボタン１１ａを押し込む前後動パーツ１２と、鉛筆Ｐの挿入に伴ってケース前部１に向けて回動されるレバーパーツ１３と、屑ケース１０の装填に伴って、樹脂バネ部分１４ａを弾性変形させながら、上方に向けて押し込まれる上下動パーツ１４とを備えている。前後動パーツ１２は、レバーパーツ１３のレバー端１３ｂとの接続部１２ｂと、ケース前部１に向けて突き出す突所１２ｃと、樹脂バネ部分１２ｄとを有している。上下動パーツ１４には、ケース前部１に向けて窪んだ凹所１４ｃが形成されている。屑ケース１０の装填に伴う上下動パーツ１３の上方への押し込みによって凹所１４ｃに突所１２ｃが進入可能となるようにしてある。【選択図】図１
2005111776.tif 000002
【特許請求の範囲】
【請求項１】
ケース前部に鉛筆挿入口を有し、
ケース内部に、この鉛筆挿入口から差し込まれた鉛筆を受け入れると共に受け入れられた鉛筆に切削を施すケース背部に向かうに連れて暫時狭まる切削空間を回転刃の周面との間に形成させるように、この回転刃を回転可能に保持し、かつ、モータによって回転駆動されるカッターホルダーと、
ケース前部から、切削空間から生じる鉛筆の削り屑を受けてため込む位置までケース内部に取り外し可能に装填される屑ケースとを有する電動鉛筆削りであって、
この電動鉛筆削りのケース内部に、
モータの駆動回路中に設けられて押しボタンの付勢に抗した押し込みによってこの駆動回路を閉成すると共に、ケース背部に向けてこの押しボタンを突き出させるように配されたマイクロスイッチと、
ケース前部に向けられた前端と、ケース背部に向けられた後端とを有すると共に、この前端と後端との間に、ケース前部に向けた移動によってマイクロスイッチの押しボタンを押し込むこの押しボタンへの突き当たり部を備えた前後動パーツと、
鉛筆挿入口への鉛筆の挿入に伴ってこの鉛筆に接触して押し込まれる接触部と、この接触部の押し込みによってケース前部に向けて回動されるレバー端とを備えたレバーパーツと、
樹脂バネ部分を有すると共に、ケース内部への屑ケースの装填に伴って、この樹脂バネ部分を弾性変形させながら、上方に向けて押し込まれる上下動パーツとを備えており、
しかも、前後動パーツは、
レバーパーツのレバー端との接続部と、
上下動パーツにおけるケース背部に向けられた縁部の側方に位置されると共にケース前部に向けて突き出す突所、又は、ケース背部に向けて窪んだ凹所と、
この接続部と突所又は凹所の形成部分とを一体に接合させ合わせる樹脂バネ部分とを有しており、
さらに、上下動パーツにおけるケース背部に向けられた縁部には、ケース前部に向けて窪んだ凹所、又は、前後動パーツにおける凹所に隣接したケース前部に向けられた縁部の側方に位置されると共にケース背部に向けて突き出す突所が形成されており、
屑ケースの装填に伴う上下動パーツの上方への押し込みによって、前記凹所に前記突所が進入可能となるようにしてあることを特徴とする電動鉛筆削り。
【請求項２】
カッターホルダーに、切削空間における切削によって鉛筆の先を次第に細められてこの切削空間のより奥に向けて徐々に進入される鉛筆の先に押されてケース背部側に突き出すピン体が備えられていると共に、
電動鉛筆削りのケース内部に、このように突き出されるピン体によつて押されてケース背部側に向けて移動される従動パーツが備えられており、
しかも、前後動パーツの後端側に、この従動パーツのケース背部側への移動時にのみこの従動パーツに引っかかる引っかかり部が形成されていることを特徴とする請求項１記載の電動鉛筆削り。
【発明の詳細な説明】
【技術分野】
【０００１】
この発明は、取り外し可能な屑ケースを有すると共に、この屑ケースの取り外し時には、鉛筆挿入口から鉛筆を差し込ませてもこの鉛筆を削るように稼働しない構造を備えた電動鉛筆削りの改良に関する。
【背景技術】
【０００２】
鉛筆挿入口に鉛筆を差し込むことを契機として稼働するタイプの電動鉛筆削りにあっては、屑ケースを取り外した際には、鉛筆挿入口から鉛筆を差し込んでも稼働しない、つまり、鉛筆挿入口から差し込まれた鉛筆を受け入れこの受け入れ箇所に切削を施す切削空間を備えて回転されるカッターホルダーを回転駆動させるモータの通電を、この取り外し時には停止させる要請がある。
【０００３】
電動鉛筆削りにこうした機能を持たせるためには、モータの駆動回路を屑ケースの取り外し時には鉛筆を差し込んでも閉成させないようにする機構が必要となる。
【発明の開示】
【発明が解決しようとする課題】
【０００４】
この発明が解決しようとする主たる問題点は、屑ケースの非装填時には鉛筆を差し込んでもカッターホルダーを回転駆動させず、屑ケースの装填時には鉛筆の差し込みを契機としてカッターホルダーを回転駆動させ、さらに、ここから鉛筆を抜き出した際にはカッタホルダーの回転駆動を停止させる機能を、簡素な構造をもって確実に実現できるようにする点にある。
【課題を解決するための手段】
【０００５】
前記課題を解決するために、この発明にあっては、電動鉛筆削りが以下の（１）〜（１１）の構成を備えたものとした。
（１）ケース前部に鉛筆挿入口を有し、
（２）ケース内部に、この鉛筆挿入口から差し込まれた鉛筆を受け入れると共に受け入れられた鉛筆に切削を施すケース背部に向かうに連れて暫時狭まる切削空間を回転刃の周面との間に形成させるように、この回転刃を回転可能に保持し、かつ、モータによって回転駆動されるカッターホルダーと、
（３）ケース前部から、切削空間から生じる鉛筆の削り屑を受けてため込む位置までケース内部に取り外し可能に装填される屑ケースとを有する電動鉛筆削りであって、
（４）この電動鉛筆削りのケース内部に、
（５）モータの駆動回路中に設けられて押しボタンの付勢に抗した押し込みによってこの駆動回路を閉成すると共に、ケース背部に向けてこの押しボタンを突き出させるように配されたマイクロスイッチと、
（６）ケース前部に向けられた前端と、ケース背部に向けられた後端とを有すると共に、この前端と後端との間に、ケース前部に向けた移動によってマイクロスイッチの押しボタンを押し込むこの押しボタンへの突き当たり部を備えた前後動パーツと、
（７）鉛筆挿入口への鉛筆の挿入に伴ってこの鉛筆に接触して押し込まれる接触部と、この接触部の押し込みによってケース前部に向けて回動されるレバー端とを備えたレバーパーツと、
（８）樹脂バネ部分を有すると共に、ケース内部への屑ケースの装填に伴って、この樹脂バネ部分を弾性変形させながら、上方に向けて押し込まれる上下動パーツとを備えており、
（９）  しかも、前後動パーツは、
レバーパーツのレバー端との接続部と、
上下動パーツにおけるケース背部に向けられた縁部の側方に位置されると共にケース前部に向けて突き出す突所、又は、ケース背部に向けて窪んだ凹所と、
この接続部と突所又は凹所の形成部分とを一体に接合させ合わせる樹脂バネ部分とを有しており、
（１０）さらに、上下動パーツにおけるケース背部に向けられた縁部には、ケース前部に向けて窪んだ凹所、又は、前後動パーツにおける凹所に隣接したケース前部に向けられた縁部の側方に位置されると共にケース背部に向けて突き出す突所が形成されており、
（１１）屑ケースの装填に伴う上下動パーツの上方への押し込みによって、前記凹所に前記突所が進入可能となるようにしてある。
【０００６】
かかる構成によれば、
（１）屑ケースを装填しない状態では、上下動パーツは上方に押し込まれず、前記凹所に前記突所が入り込めない状態となる。この状態において鉛筆挿入口に鉛筆を差し込むとレバーパーツのレバー端はケース前部に向けて回動され、この回動により前後動パーツにはケース前部に向けた力が作用されるが、このように上下動パーツが押し込まれていない状態では前記凹所に前記突所が入り込めないため、前後動パーツの樹脂バネ部分のみが弾性変形により延び、前後動パーツの突き当たり部によってマイクロスイッチの押しボタンを押し込むように前後動パーツ全体を移動させることがないようにすることができる。これにより、屑ケースを抜き出した状態においては、鉛筆挿入口に鉛筆を差し込んでもカッタホルダーを回転させるモータに通電しないようにすることができる。
（２）屑ケースを装填した状態では、上下動パーツは上方に押し込まれ、前記凹所に前記突所が入り込める状態となる。この状態において鉛筆挿入口に鉛筆を差し込むとレバーパーツのレバー端はケース前部に向けて回動され、この回動により前後動パーツは、前方に移動できるようになる。この前後動パーツの移動によって突き当たり部がマイクロスイッチの押しボタンを押し込み、カッターホルダーを回転させるモータへの通電がなされるようにすることができる。
（３）屑ケースを装填した状態において、削り終わった鉛筆を抜き出すと、前後動パーツはマイクロスイッチの押しボタンの付勢力によってケース背部側に元の位置まで移動され、モータへの通電が停止されると共に、これに伴ってケース前部側に回動されていたレバーパーツのレバー端もケース背部側に向けて回動され、レバーパーツの接触部も鉛筆の差し込み前の位置に復帰される。この状態から屑ケースを再び抜き出すと、上下動パーツにおける樹脂バネ部分の弾性復帰によって上下動パーツは前記凹所に前記突所を入り込ませない位置まで下方に移動される。
【０００７】
前記カッターホルダーに、切削空間における切削によって鉛筆の先を次第に細められてこの切削空間のより奥に向けて徐々に進入される鉛筆の先に押されてケース背部側に突き出すピン体が備えられていると共に、
電動鉛筆削りのケース内部に、このように突き出されるピン体によつて押されてケース背部側に向けて移動される従動パーツが備えられており、
しかも、前後動パーツの後端側に、この従動パーツのケース背部側への移動時にのみこの従動パーツに引っかかる引っかかり部が形成されているようにしておくこともできる。
【０００８】
このようにした場合、鉛筆の差し込みによりレバーパーツのレバー端がケース前部に向けて回動され、この回動により前記凹所に前記突所を入れ込ませながら前方に前後動パーツが移動されて、この前後動パーツの移動によって突き当たり部がマイクロスイッチの押しボタンを押し込んでいるカッターホルダーの回転駆動状態において、鉛筆が所定の位置まで進入すると、つまり、鉛筆が所定の太さに削られた場合、このように進入した鉛筆によって押され突き出されるピン体と従動パーツとを通じて前後動パーツをケース背部側に向けて移動させることができ、この前後動パーツの移動によって鉛筆が所定の太さに削られた場合にも前後動パーツの突き当たり部によるマイクロスイッチの押しボタンの押し込みを解いてカッターホルダーを回転駆動させるモータの通電を停止させることができる。
【発明の効果】
【０００９】
この発明にかかる電動鉛筆削りによれば、屑ケースの非装填時には鉛筆を差し込んでもカッターホルダーを回転駆動させず、屑ケースの装填時には鉛筆の差し込みを契機としてカッターホルダーを回転駆動させ、さらに、ここから鉛筆を抜き出した際にはカッタホルダーの回転駆動を停止させる機能を、マイクロスイッチ、レバーパーツ、前後動パーツ、上下動パーツの四点のパーツによって、簡素かつ確実に実現できる。
【発明を実施するための最良の形態】
【００１０】
以下、図１ないし図１２に基づいて、この発明を実施するための最良の形態について説明する。
【００１１】
なお、ここで図１ないし図５は、この実施の形態にかかる鉛筆削りを前後方向において断面にして内部機構の要部を見えるようにしており、特に、図１は、屑ケース１０を取り外した状態を、図２は、図１の状態から鉛筆Ｐを差し込んだ状態を、図３は、図１の状態から屑ケース１０を装填した状態を、図４は、図３の状態から鉛筆Ｐを差し込んだ状態を、図５は、図４の状態から鉛筆Ｐを削り切った状態を、それぞれ示している。また、図６および図７は、図１ないし図５の位置よりもやや奥の位置で鉛筆削りを断面にして示しており、特に図７は、図５の状態に対応している。また、図８は、鉛筆削りの駆動機構を理解しやすいように、図１の右側から内部機構を見た状態として示している。また、図９は、上部室４の側部に前後動パーツ１２のみを取り付けた状態を、図１０は、これにさらに、上下動パーツ１４を取り付けた状態を、図１１は、これにさらに、マイクロスイッチ１１の支持部材１１ｂを取り付けた状態を、それぞれ示しており、さらに、図１２は、かかる各部品を分離した状態で斜視の状態として示している。
【００１２】
この実施の形態にかかる電動鉛筆削りは、取り外し可能な屑ケース１０を有すると共に、この屑ケース１０の取り外し時には、鉛筆挿入口３から鉛筆Ｐを差し込ませてもこの鉛筆Ｐを削るように稼働しない構造をを備えたものである。
【００１３】
かかる鉛筆削りは、ケース前部１に鉛筆挿入口３を有している。
【００１４】
また、かかる鉛筆削りは、
（１）カッターホルダー９
（２）屑ケース１０
（３）マイクロスイッチ１１
（４）前後動パーツ１２
（５）レバーパーツ１３
（６）上下動パーツ１４
を有している。
【００１５】
（カッターホルダー９）
カッターホルダー９は、ケース内部に配されると共に、ケース前部１の鉛筆挿入口３から差し込まれた鉛筆Ｐを受け入れると共に受け入れられた鉛筆Ｐに切削を施す切削空間９ａを有している。
【００１６】
この切削空間９ａは、ケース前部１からケース背部２に向かうに連れて暫時狭まるように形成されている。
【００１７】
カッターホルダー９は、回転刃９ｂを回転可能に保持しており、この回転刃９ｂの周面との間に前記切削空間９ａを形成させている。
【００１８】
そして、かかるカッターホルダー９は、ケース内部に配された図示しないモータによって回転駆動されるようになっている。
【００１９】
具体的には、図示の例にあっては、かかるカッターホルダー９は、鉛筆削りの上部室４内において、この鉛筆削りの前後方向（図１における左右方向）に回転軸線を沿わせるようにして、全体として回転可能に納められている。カッターホルダー９の前端は上部室４の前壁に回転可能に支持され、カッターホルダー９の後端は上部室４の後壁に回転可能に支持されている。
【００２０】
カッターホルダー９は前後端間に、一対の、回転刃９ｂの支持部９ｃ、９ｃを有しており、ウォーム状をなす回転刃９ｂの一端をこの一対の支持部９ｃ、９ｃの一方に回転可能に支持し、この回転刃９ｂの他端をこの一対の支持部９ｃ、９ｃの他方に回転可能に支持するようにしている。また、カッターホルダー９の一対の支持部９ｃ、９ｃ間には、前記鉛筆挿入口３から差し込まれる鉛筆Ｐの軸中心を通る仮想の水平線に対して、鉛筆Ｐの入れ込み先側に向かうに連れて次第に近づく向きに傾斜した傾斜面部９ｄが形成されている。それと共に、回転刃９ｂも、その回転軸線を、前記鉛筆挿入口３から差し込まれる鉛筆Ｐの軸中心を通る仮想の水平線に対して鉛筆Ｐの入れ込み先側に向かうに連れて次第に近づく向きに傾斜されている。そして、これにより、回転刃９ｂの周面とカッターホルダー９の傾斜面部９ｄとの間に、前記のようにケース背部２に向かうに連れて暫時狭まる切削空間９ａが形成されるようになっている。
【００２１】
カッターホルダー９の前端には、鉛筆挿入口３から差し込まれた鉛筆Ｐを切削空間９ａ内に導く導入穴９ｅが形成されている。また、回転刃９ｂの後端側には、上部室４の後壁に形成された周回ラック４ａにかみ合うピニオン部９ｆが形成されており、カッターホルダー９が回転されるとこの回転に伴ってカッターホルダー９内において回転刃９ｂが回転されるようになっている。鉛筆挿入口３と導入穴９ｅを通じて切削空間９ａ内に入れ込まれた鉛筆Ｐの一端は、このように回転されるカッターホルダー９内の回転刃９ｂによって、円錐に次第に近づくように切削されると共に、切削が進めば進むほど切削空間９ａの内奥側に入り込み、鉛筆Ｐの一端は暫時細められる。
【００２２】
図示の例にあっては、上部室４の側方にモータ（図示は省略する。）が配されていると共に、上部室４の後壁の外方に突き出されたカッターホルダー９の後端に最終ギア１５が設けられており、ケース背部２側において、モータの駆動軸に設けられた駆動ギア１６とかみ合う中間ギア１７をこの最終ギア１５にかみ合わせて、このモータの駆動によってカッターホルダー９が回転されるようにしてある。
【００２３】
また、図示の例にあっては、カッターホルダー９に、切削空間９ａにおける切削によって鉛筆Ｐの先を次第に細められてこの切削空間９ａのより奥に向けて徐々に進入される鉛筆Ｐの先に押されてケース背部２側に突き出すピン体９ｇが備えられている。
【００２４】
具体的には、図示の例にあっては、カッターホルダー９内に、前記切削空間９ａの内奥側に続いて駒体９ｈのスライド空間９ｉが形成されていると共に、カッターホルダー９の後端部分内に形成されたカッターホルダー９の回転軸線に沿った動作穴９ｊ内に、このスライド空間９ｉ内においてケース背部２側に駒体９ｈが移動された際にこの駒体９ｈに押圧されてカッターホルダー９の後端から突き出すピン体９ｇが納められている。駒体９ｈは動作穴９ｊにおけるスライド空間９ｉに臨んだ穴口に突き当たる位置まで前後方向にスライド移動可能とされており、この突き当たり位置においてこの駒体９ｈに押されてピン体９ｇがもっとも突き出される。（図７）この突き当たり位置から先には鉛筆Ｐの先によって駒体９ｈを押し込むことはできなくなるので、これによりそれ以上の鉛筆Ｐの進入が規制され、鉛筆Ｐの削り過ぎが防止される。
【００２５】
（屑ケース１０）
屑ケース１０は、電動鉛筆削りのケース前部１から、切削空間９ａから生じる鉛筆Ｐの削り屑を受けてため込む位置までケース内部に取り外し可能に装填されるように構成されている。
【００２６】
具体的には、図示の例にあっては、前記カッターホルダー９の納められている上部室４の下方に下部室５が形成されていると共に、この上部室４は下方に解放されており、この開放箇所において下部室５に連通している。下部室５は、ケース前部１において解放されており、この下部室５の開放箇所５ａからこの下部室５内に屑ケース１０を入れ込み装填し、また、抜き出せるようになっている。
【００２７】
屑ケース１０は、上面を解放させた箱状をなしており、この解放された上面を上にして、ケース前部１から装填される。そして、このように装填される屑ケース１０内に、上部室４から生じる、つまり、前記切削空間９ａにおける鉛筆Ｐの前記切削によって生じる鉛筆Ｐの削り屑が落下してため込まれるようになっている。
【００２８】
（マイクロスイッチ１１）
マイクロスイッチ１１は、前記モータの駆動回路中に設けられており、電動鉛筆削りのケース内部に配されている。
【００２９】
かかるマイクロスイッチ１１は、押しボタン１１ａの押し込みによってこの駆動回路を閉成すると共に、ケース背部２に向けてこの押しボタン１１ａを突き出させるように配されている。
【００３０】
具体的には、かかるマイクロスイッチ１１は、押しボタン１１ａを内部に組み込まれたバネなどの付勢手段によって常時外方に突き出させる向きに付勢させた状態で備えている。そして、この付勢に抗した押しボタン１１ａの押し込みがなされると前記駆動回路を閉成させ、この押し込みがなされていない状態では前記駆動回路を開成させるように構成されている。
【００３１】
図示の例にあっては、かかるマイクロスイッチ１１は、上部室４の外壁部であって、モータの組み込み側に向けられた側と反対の側にあるこの上部室４の側部の外壁部に取り付けられている。
【００３２】
図示の例にあっては、略Ｌ字状をなすマイクロスイッチ１１の支持部材１１ｂの一方腕をケース背部２側に向けさせ、かつ、他方腕を上下方向に配させた状態で、この支持部材１１ｂの隅部を上部室４にねじ止めさせていると共に、この支持部材１１ｂの他方腕にマイクロスイッチ１１が備え付けられている。
【００３３】
（前後動パーツ１２）
前後動パーツ１２は、電動鉛筆削りの前後方向に移動可能な状態で、ケース内部に配されている。
【００３４】
かかる前後動パーツ１２は、
（１）ケース前部１に向けられた前端と、
（２）ケース背部２に向けられた後端と、
（３）この前端と後端との間にあって、前後動パーツ１２のケース前部１に向けた移動によって前記マイクロスイッチ１１の押しボタン１１ａを押し込むこの押しボタン１１ａへの突き当たり部１２ａと、
（４）後述するレバーパーツ１３のレバー端１３ｂとの接続部１２ｂと、
（５）後述する上下動パーツ１４におけるケース背部２に向けられた縁部１４ｂの側方に位置されると共に、ケース前部１に向けて突き出す突所１２ｃと、
（６）この接続部１２ｂと突所１２ｃの形成部分とを一体に接合させ合わせる樹脂バネ部分１２ｄとを有している。
【００３５】
具体的には、図示の例にあっては、かかる前後動パーツ１２は、電動鉛筆削りの前後方向に長い長穴１２ｆを貫通状態に備えた中間部１２ｅを有しており、この中間部１２ｅの長穴１２ｆに前記マイクロスイッチ１１の支持部材１１ｂをねじ止めするネジ７がねじ込まれるネジ穴を備えたボス部６を入れ込ませるようにして、前記上部室４の外壁部に備え付けられている。そして、この中間部１２ｅに、この中間部１２ｅに下端を一体に接合させて上方に延びる前記突き当たり部１２ａを備えている。前後動パーツ１２は、その突き当たり部１２ａの先端部をマイクロスイッチ１１の押しボタン１１ａに対し、前後動パーツ１２のケース背部２側から常時接しさせているように位置づけられている。すなわち、図示の例にあっては、かかるマイクロスイッチ１１の押しボタン１１ａの移動ストロークの範囲内で、前後動パーツ１２が前後動されるようになっている。
【００３６】
この中間部１２ｅの後端には、前端をこの後端に一体に接続させてケース背部２に向けて延びる棒状部１２ｇが形成されている。この棒状部１２ｇの末端には円板状の頭部１２ｈが形成されていると共に、前後動パーツ１２における上部室４の外壁部に向けられた側と反対の側には、棒状部１２ｇの途中から始まりこの棒状部１２ｇと中間部１２ｅとの連接箇所から中間部１２ｅにやや入り込んだ位置まで続くように延設されたリブ１２ｉが形成されており、このリブ１２ｉが前記突所１２ｃとして機能するようになっている。
【００３７】
また、中間部１２ｅの前端には、上方湾曲箇所と下方湾曲箇所とを交互に備えるように波形に屈曲された帯状体１２ｊの後端が一体に接続されており、かかる帯状体１２ｊは、隣り合う屈曲箇所間を広げさせて弾性的に延びることができるように構成されている。すなわち、図示の例にあっては、この帯状体１２ｊが前記樹脂バネ部分１２ｄとして機能するようになっている。そして、図示の例では、この帯状体１２ｊの前端が、前記レバーパーツ１３のレバー端１３ｂとの接続部１２ｂとなるようにしてある。この帯状体１２ｊはマイクロスイッチ１１の押しボタン１１ａをその付勢に抗して押し込む力よりも小さい力で弾性変形するように構成されている。前後動パーツ１２は、これらの各部を一体に有するようにして、典型的にはプラスチックの射出成形によって形成される。
【００３８】
（レバーパーツ１３）
レバーパーツ１３は、鉛筆挿入口３への鉛筆Ｐの挿入に伴ってこの鉛筆Ｐに接触して押し込まれる接触部１３ａと、この接触部１３ａの押し込みによってケース前部１に向けて回動されるレバー端１３ｂとを備えている。
【００３９】
具体的には、図示の例にあっては、かかるレバーパーツ１３は、電動鉛筆削りの左右方向に軸線を沿わせた主軸部分１３ｃと、この主軸部分１３ｃの一端部に一体に接続されたレバーアーム１３ｅとを有している。このレバーアーム１３ｅの端部に電動鉛筆削りの左右方向に軸線を沿わせた延長軸部分１３ｄの一端が一体に接続されており、この延長軸部分１３ｄが前記レバー端１３ｂとして機能するようになっている。
【００４０】
前記主軸部分１３ｃは、鉛筆挿入口３の下方において、上部室４の前壁部に回動可能に支持されていると共に、鉛筆挿入口３の下部に形成された割欠部３ａを通じてこの鉛筆挿入口３内に入り込む突部状をなす接触部１３ａを有している。
【００４１】
この接触部１３ａが鉛筆挿入口３内に入り込んだ状態において、レバーアーム１３ｅは、主軸部分１３ｃの軸線を通る仮想の鉛直線よりも、このレバーアーム１３ｅの端部、つまり、レバー端１３ｂををケース背部２側に位置させるようになっている。（図３／以下、このレバーパーツ１３の位置を基準位置という。）
【００４２】
一方、前記接触部１３ａが鉛筆挿入口３への鉛筆Ｐの差し込みによって下方に押し込まれた状態においては、レバーアーム１３ｅは、主軸部分１３ｃの軸線を通る仮想の鉛直線よりも、このレバーアーム１３ｅの端部（レバー端１３ｂ）をケース前部１側に位置させるようになっている。（図４／以下、このレバーパーツ１３の位置を動作位置という。）
【００４３】
前記前後動パーツ１２の樹脂バネ部分１２ｄの前端、つまり、前記接続部１２ｂは、レバーパーツ１３の延長軸部分１３ｄを前方から抱え持つような形に成形されており、それと共に、レバーパーツ１３の基準位置においては、前後動パーツ１２の樹脂バネ部分１２ｄは積極的な弾性変形をしないようになっている。
【００４４】
（上下動パーツ１４）
上下動パーツ１４は、樹脂バネ部分１４ａを有すると共に、ケース内部への屑ケース１０の装填に伴って、この樹脂バネ部分１４ａを弾性変形させながら、上方に向けて押し込まれるように構成されている。
【００４５】
また、この上下動パーツ１４におけるケース背部２に向けられた縁部１４ｂには、ケース前部１に向けて窪んだ凹所１４ｃが形成されており、屑ケース１０の装填に伴う上下動パーツ１４の上方への押し込みによって、上下動パーツ１４の凹所１４ｃに前後動パーツ１２の突所１２ｃが進入可能となるようになっている。
【００４６】
具体的には、図示の例にあっては、上下動パーツ１４は、前記ボス部６に前端側を軸支されて前後方向に延びる基部１４ｄを有しており、このボス部６を中心に後端側を上下方向に移動可能に構成されている。また、上下動パーツ１４は、前後動パーツ１２と支持部材１１ｂとの間に挟み込まれるように位置づけられている。
【００４７】
また、この基部１４ｄにおけるケース背部２に向けられた縁部１４ｂ、つまり、後端縁に、前記凹所１４ｃを有している。この基部１４ｄの縁部１４ｂのうち凹所１４ｃよりも上方に位置される縁部１４ｂは、前後動パーツ１２の突き当たり部１２ａがマイクロスイッチ１１の押しボタン１１ａを押し込まない前後動パーツ１２の未移動位置において、この前後動パーツ１２の突所１２ｃに前方から接するようになっている。
【００４８】
上下動パーツ１４の基部１４ｄの後端側上部には、前方湾曲箇所と後方湾曲箇所とを交互に備えるように波形に屈曲された帯状体１４ｅの下端が一体に接続されており、かかる帯状体１４ｅは、隣り合う屈曲箇所間を狭めるように弾性的に縮むことができるように構成されている。すなわち、図示の例にあっては、この帯状体１４ｅが前記樹脂バネ部分１４ａとして機能するようになっている。この帯状体１４ｅの上端は上部室４の側方に形成されたストッパー片４ｂに下方から突き当てられており、この帯状体１４ｅを弾性的に縮み込ませながら上下動パーツ１４はその後端側を上方に向けて移動させるようになっている。
【００４９】
上下動パーツ１４の基部１４ｄの後端側下部には、下部室５内に入り込むように下方に向けて突き出す突出部１４ｆが形成されている。この突出部１４ｆは、ケース前部１に向けられた側の縁部を、基部１４ｄとの接続側から突出部１４ｆの突き出し端に向かうに連れて次第にケース背部２側に近づける向きに傾斜させたカム縁部１４ｇとしている。
【００５０】
そして、図示の例にあっては、屑ケース１０を取り外した状態においては、上下動パーツ１４は上方に向けて押し込まれず、その凹所１４ｃに前後動パーツ１２の突所１２ｃを後方から入れ込ませない位置に位置づけられる。（図１）一方、屑ケース１０を装填させると、この屑ケース１０の上縁に突出部１４ｆが突き当たり、この突き当たりによって前記樹脂バネ部分１４ａを弾性変形させながら上下動パーツ１４は上方に押し込まれるようになっている。このように上下動パーツ１４が押し込まれると、この上下動パーツ１４の凹所１４ｃに前後動パーツ１２の突所１２ｃが入り込み可能となる。（図３）上下動パーツ１４は、これらの各部を一体に有するようにして、典型的にはプラスチックの射出成形によって形成される。
【００５１】
（機能）
（１）屑ケース１０を装填しない状態では、上下動パーツ１４は上方に押し込まれず、この上下動パーツ１４の凹所１４ｃに前後動パーツ１２の突所１２ｃが入り込めない状態となる。この状態において鉛筆挿入口３に鉛筆Ｐを差し込むとレバーパーツ１３のレバー端１３ｂ（前記レバーアーム１３ｅの端部および延長軸部分１３ｄ）はケース前部１に向けて回動され、この回動により前後動パーツ１２にはケース前部１に向けた力が作用されるが、このように上下動パーツ１４が押し込まれていない状態では上下動パーツ１４の凹所１４ｃに前後動パーツ１２の突所１２ｃが入り込めないため、前後動パーツ１２の樹脂バネ部分１２ｄのみが弾性変形により延び、前後動パーツ１２の突き当たり部１２ａによってマイクロスイッチ１１の押しボタン１１ａを押し込むように前後動パーツ１２全体を移動させることがないようにすることができる。（図２）これにより、屑ケース１０を抜き出した状態においては、鉛筆挿入口３に鉛筆Ｐを差し込んでもカッターホルダー９を回転させるモータに通電しないようにすることができる。
【００５２】
（２）屑ケース１０を装填した状態では、上下動パーツ１４は上方に押し込まれ、この上下動パーツ１４の凹所１４ｃに前後動パーツ１２の突所１２ｃが入り込める状態となる。この状態において鉛筆挿入口３に鉛筆Ｐを差し込むとレバーパーツ１３のレバー端１３ｂはケース前部１に向けて回動され、この回動により前後動パーツ１２は、上下動パーツ１４の凹所１４ｃに突所１２ｃを入れ込ませながら前方に移動される。この前後動パーツ１２の移動によって突き当たり部１２ａがマイクロスイッチ１１の押しボタン１１ａを押し込み、カッターホルダー９を回転させるモータへの通電がなされる。（図４）
【００５３】
（３）屑ケース１０を装填した状態において、削り終わった鉛筆Ｐを抜き出すと、前後動パーツ１２はマイクロスイッチ１１の押しボタン１１ａの付勢力によってケース背部２側に元の位置まで移動され、モータへの通電が停止されると共に、これに伴ってケース前部１側に回動されていたレバーパーツ１３のレバー端１３ｂもケース背部２側に向けて回動され、レバーパーツ１３の接触部１３ａも鉛筆Ｐの差し込み前の位置に復帰される。この状態から屑ケース１０を再び抜き出すと、上下動パーツ１４における樹脂バネ部分１４ａの弾性復帰によって上下動パーツ１４はその凹所１４ｃに前後動パーツ１２の突所１２ｃを入り込ませない位置まで下方に移動される。
【００５４】
すなわち、この実施の形態にかかる電動鉛筆削りは、かかる機能、すなわち、屑ケース１０の非装填時には鉛筆Ｐを差し込んでもカッターホルダー９を回転駆動させず、屑ケース１０の装填時には鉛筆Ｐの差し込みを契機としてカッターホルダー９を回転駆動させ、さらに、ここから鉛筆Ｐを抜き出した際にはカッタホルダーの回転駆動を停止させる機能を、マイクロスイッチ１１、レバーパーツ１３、前後動パーツ１２、上下動パーツ１４の四点のパーツによって、簡素かつ確実に実現できる特長を有している。
【００５５】
（その他の特徴的構造）
また、この実施の形態にあっては、カッターホルダー９に、切削空間９ａにおける切削によって鉛筆Ｐの先を次第に細められてこの切削空間９ａのより奥に向けて徐々に進入される鉛筆Ｐの先に押されてケース背部２側に突き出す前記ピン体９ｇが備えられていると共に、
電動鉛筆削りのケース内部に、このように突き出されるピン体９ｇによつて押されてケース背部２側に向けて移動される従動パーツ１８が備えられており、
しかも、前後動パーツ１２の後端側に、この従動パーツ１８のケース背部２側への移動時にのみこの従動パーツ１８に引っかかる引っかかり部１２ｋが形成されている。
【００５６】
具体的には、図示の例にあっては、上部室４およびモータを前面側に配する背部パネル８の背面に、下端側を回動可能に組み付けさせて上端側をこの背部パネル８から離れ出す向きに移動可能とすると共に、上端隅部１８ａを前記ピン体９ｇの先端側方に位置させた板状の従動パーツ１８が備えられている。この従動パーツ１８には、前記前後動パーツ１２の棒状部１２ｇを通し抜けさせると共に、この棒状部１２ｇの末端に設けられた前記頭部１２ｈよりも穴径を小さくした穴部１８ｂが形成されている。そして、この実施の形態にあっては、前記ピン体９ｇが鉛筆Ｐの所定位置までの進入によって突き出されるとこの進入によって所定の位置まで突き出されたピン体９ｇによってケース背部２側に向けて移動され切った従動パーツ１８に前後動パーツ１２の頭部１２ｈが引っかかり前後動パーツ１２もケース背部２側に移動されるようになっている。すなわち、図示の例では、かかる前後動パーツ１２の頭部１２ｈが前記引っかかり部１２ｋとして機能するようになっている。
【００５７】
これにより、この実施の形態にあっては、鉛筆Ｐの差し込みによりレバーパーツ１３のレバー端１３ｂがケース前部１側に向けて回動され、この回動により上下動パーツ１４の凹所１４ｃに突所１２ｃを入れ込ませながら前方に前後動パーツ１２が移動されて、この前後動パーツ１２の移動によって突き当たり部１２ａがマイクロスイッチ１１の押しボタン１１ａを押し込んでいるカッターホルダー９の回転駆動状態において、鉛筆Ｐが所定の位置まで進入すると、つまり、鉛筆Ｐが所定の太さに削られた場合、このように進入した鉛筆Ｐによって押され突き出されるピン体９ｇと従動パーツ１８とを通じて樹脂バネ部分１２ｄを伸ばしながら前後動パーツ１２をケース背部２側に向けて移動させることができ、この前後動パーツ１２の移動によって鉛筆Ｐが所定の太さに削られた場合にも前後動パーツ１２の突き当たり部１２ａによるマイクロスイッチ１１の押しボタン１１ａの押し込みを解いてカッターホルダー９を回転駆動させるモータの通電を停止させることができる。（図５）通電停止後鉛筆Ｐを抜き出すと前後動パーツ１２の樹脂バネ部分１２ｄの弾性復帰により前後動パーツ１２の後端側はケース前部１側にやや移動され、この移動によって従動パーツ１８もケース前部１側にやや移動し、さらに、この従動パーツ１８の移動によってピン体９ｇも切削空間９ａ側に向けてやや押し戻される。
【００５８】
なお、この実施の形態にあっては、電動鉛筆削りのケース背部２に、外部から従動パーツ１８を覗き込めるように形成された操作穴２ａが設けられており、前記のように突き出されたピン体９ｇをこの操作穴２ａから鉛筆Ｐなどを差し込んで従動パーツ１８をケース前部１側に向けて押し込ませることにより、再びケース前部１側に押し込ませることができるようになっている。ピン体９ｇが押し込まれると前記スライド空間９ｉ内において駒体９ｈもケース前部１側に押し込まれ、切削空間９ａ内に折れた鉛筆Ｐの芯などが引っかかるなどして残存している場合、このように押し込まれる駒体９ｈによってこれを下部室５側に突き出し落とすことができる。
【図面の簡単な説明】
【００５９】
【図１】鉛筆削りの側断面構成図
【図２】鉛筆削りの側断面構成図
【図３】鉛筆削りの側断面構成図
【図４】鉛筆削りの側断面構成図
【図５】鉛筆削りの側断面構成図
【図６】鉛筆削りの側断面構成図
【図７】鉛筆削りの側断面構成図
【図８】鉛筆削りの内部機構の要部背面図
【図９】要部部品の組み付け状態を示した側面図
【図１０】要部部品の組み付け状態を示した側面図
【図１１】要部部品の組み付け状態を示した側面図
【図１２】要部部品の分離斜視構成図
【符号の説明】
【００６０】
１  ケース前部
２  ケース背部
３  鉛筆挿入口
９  カッターホルダー
９ａ  切削空間
９ｂ  回転刃
１０  屑ケース
１１  マイクロスイッチ
１１ａ  押しボタン
１２  前後動パーツ
１２ａ  突き当たり部
１２ｃ  突所
１２ｄ  樹脂バネ部分
１３  レバーパーツ
１３ａ  接触部
１３ｂ  レバー端
１４  上下動パーツ
１４ａ  樹脂バネ部分
１４ｂ  縁部
１４ｃ  凹所
【図１】
2005111776.tif 000003
【図２】
2005111776.tif 000004
【図３】
2005111776.tif 000005
【図４】
2005111776.tif 000006
【図５】
2005111776.tif 000007
【図６】
2005111776.tif 000008
【図７】
2005111776.tif 000009
【図８】
2005111776.tif 000010
【図９】
2005111776.tif 000011
【図１０】
2005111776.tif 000012
【図１１】
2005111776.tif 000013
【図１２】
2005111776.tif 000014